【手続補正書】
【提出日】平成25年7月3日(2013.7.3)
【手続補正１】
【補正対象書類名】特許請求の範囲
【補正対象項目名】全文
【補正方法】変更
【補正の内容】
【特許請求の範囲】
【請求項１】
複数の容器を保持するパッケージであって、
該パッケージの内部の周りに少なくとも部分的に延在するパネルであって、該パネルは、トップパネルと、該トップパネルに折り曲げ可能に接続されている少なくとも１つのサイドパネルと、該少なくとも１つのサイドパネルに折り曲げ可能に接続されている少なくとも１つの端部パネルとを含む、パネルと、
該複数の容器のうちの少なくとも１つの容器のトップ部分を受け入れて保持する、該トップパネルの少なくとも１つの機能部であって、該少なくとも１つの機能部は、該トップパネルの開口部と、該複数の容器のうちの少なくとも１つの容器と係合して該少なくとも１つの容器を該パッケージに少なくとも部分的に取り付けるように該開口部に隣接している保持機能部とを含む、少なくとも１つの機能部と、
を備え、
該少なくとも１つの端部パネルは、該パッケージを把持して運搬するためのハンドルを含み、
該端部パネルは、該端部パネルにわたって延在する複数の折り線を含み、該端部パネルは、該複数の容器のうちの少なくとも１つの容器に適合する形状であり、該端部パネルは２つの凸状の端部を含み、それぞれの凸状の端部は、該複数の容器のうちのそれぞれの容器に適合する形状である、パッケージ。
【請求項２】
該少なくとも１つのサイドパネルと該少なくとも１つの端部パネルとを折り曲げ可能に接続する少なくとも１つのガセットを更に含む、請求項１に記載のパッケージ。
【請求項３】
該少なくとも１つのガセットは少なくとも２つのガセットパネルを含み、該少なくとも２つのガセットパネルは少なくとも部分的に対面接触している、請求項２に記載のパッケージ。
【請求項４】
該端部パネルは、該２つの凸状の端部間に位置決めされる凹状の端部を含み、該凹状の端部は、該パッケージの端において該それぞれの容器間に位置決めされ、該パッケージの端において該それぞれの容器に適合する形状である、請求項１に記載のパッケージ。
【請求項５】
それぞれの凸状の端部は、該トップパネルにそれぞれ折り曲げ可能に接続されている、請求項４に記載のパッケージ。
【請求項６】
該凹状の端部は、該少なくとも１つの端部パネルの開口部によって該トップパネルから分離している、請求項５に記載のパッケージ。
【請求項７】
該少なくとも１つの端部パネルは、該トップパネルから離間して、該トップパネルと折り曲げ可能に接続されていない、請求項１に記載のパッケージ。
【請求項８】
該保持機能部は該開口部に隣接している該トップパネルの一部を含み、該トップパネルの該一部は該少なくとも１つの容器のフランジの下面と接触している、請求項１に記載のパッケージ。
【請求項９】
該保持機能部は該トップパネルに折り曲げ可能に接続されている保持パネルを含み、該保持パネルは該少なくとも１つの容器のトップと接触し、該開口部から離間している、請求項８に記載のパッケージ。
【請求項１０】
複数の容器を保持するパッケージを形成するブランクであって、
トップパネルと、該トップパネルに折り曲げ可能に接続されている少なくとも１つのサイドパネルと、該少なくとも１つのサイドパネルに折り曲げ可能に接続されている少なくとも１つの端部パネルとを含むパネルであって、該パネルは、該ブランクから形成される該パッケージの内部を形成するためのものである、パネルと、
該複数の容器のうちの少なくとも１つの容器のトップ部分を該ブランクから形成される該パッケージに受け入れて保持するためのものである、該トップパネルの少なくとも１つの機能部であって、該少なくとも１つの機能部は、該トップパネルの開口部と、該複数の容器のうちの該少なくとも１つの容器と係合して該少なくとも１つの容器を該パッケージに少なくとも部分的に取り付けるように該開口部に隣接している保持機能部とを含む、少なくとも１つの機能部と、
を備え、
該少なくとも１つの端部パネルは、該ブランクから形成される該パッケージを把持して運搬するためのハンドルを形成するハンドル機能部と、該端部パネルにわたって延在する複数の折り線と、２つの端部と、該２つの端部間に位置決めされる中間部分とを含み、それぞれの端部は、該複数の容器のうちのそれぞれの容器に適合するための形状であり、該中間部分は、該パッケージの端において該それぞれの容器間に位置決めされ、該それぞれの容器に適合するための形状である、ブランク。
【請求項１１】
該少なくとも１つのサイドパネルと該少なくとも１つの端部パネルとを折り曲げ可能に接続する少なくとも１つのガセットを更に含む、請求項１０に記載のブランク。
【請求項１２】
該少なくとも１つのガセットは少なくとも２つのガセットパネルを含み、該少なくとも２つのガセットパネルは少なくとも部分的に対面接触している、請求項１１に記載のブランク。
【請求項１３】
それぞれの該２つの端部は、該トップパネルにそれぞれ折り曲げ可能に接続されている、請求項１２に記載のブランク。
【請求項１４】
該中間部分は、該少なくとも１つの端部パネルの開口部によって該トップパネルから分離している、請求項１３に記載のブランク。
【請求項１５】
該少なくとも１つの端部パネルは、切れ目線によって該トップパネルから分離しており、該トップパネルと折り曲げ可能に接続されていない、請求項１０に記載のブランク。
【請求項１６】
該保持機能部は該開口部に隣接している該トップパネルの一部を含み、該トップパネルの該一部は該少なくとも１つの容器のフランジの下面と接触している、請求項１０に記載のブランク。
【請求項１７】
該保持機能部は該トップパネルに折り曲げ可能に接続されている保持パネルを含み、該保持パネルは、該ブランクから形成される該パッケージにおいて該少なくとも１つの容器のトップと接触し、該開口部から離間している、請求項１６に記載のブランク。
【請求項１８】
複数の容器を収容するパッケージを形成する方法であって、
トップパネルと、該トップパネルに折り曲げ可能に接続されている少なくとも１つのサイドパネルと、該少なくとも１つのサイドパネルに折り曲げ可能に接続されている少なくとも１つの端部パネルと、該トップパネルの開口部を含み該トップパネルの少なくとも１つの機能部と、前記開口部に隣接している保持機能部とを有するブランクを得ることであって、該少なくとも１つの端部パネルは、ハンドル機能部と、該端部パネルにわたって延在する複数の折り線とを含む、ブランクを得ることと、
該容器を該パッケージに少なくとも部分的に取り付けるために、容器の少なくともトップ部分を該開口部に挿入して該容器の該トップ部分を該保持機能部と係合させることと、
該ハンドル機能部からハンドルを形成することと、
該複数の容器のうちのそれぞれの容器に適合する形状である２つの凸状の端部を有するように該端部パネルを位置付けることと、
を含む、方法。
【請求項１９】
該ブランクは、該少なくとも１つのサイドパネルと該少なくとも１つの端部パネルとに折り曲げ可能に接続する少なくとも１つのガセットを更に含み、該方法は、該少なくとも１つのサイドパネルと該端部パネルを該トップパネルに対して下方へ折り曲げることと、該少なくとも１つのサイドパネルを該端部パネルに隣接して位置決めするように該少なくとも１つのガセットを機能させることとを更に含む、請求項１８に記載の方法。
【請求項２０】
該少なくとも１つのガセットは少なくとも２つのガセットパネルを含み、該少なくとも１つのガセットを機能させることは、該少なくとも２つのガセットパネルを少なくとも部分的に対面接触させて位置決めすることを含む、請求項１９に記載の方法。
【請求項２１】
該端部パネルを位置決めすることは、それぞれの該凸状の端部を該複数の容器のうちのそれぞれの容器に隣接して位置決めすることを含む、請求項１８に記載の方法。
【請求項２２】
該端部パネルは、該２つの凸状の端部間に位置決めされる中間部分を含み、該端部パネルを位置決めすることは、該中間部分を該それぞれの容器間に位置決めすることを含む、請求項２１に記載の方法。
【請求項２３】
該保持機能部は該開口部に隣接している該トップパネルの一部を含み、該容器の少なくとも一部を挿入することは、該トップパネルの該一部を該容器のフランジの下面と接触させて配置することを含む、請求項１８に記載の方法。
【請求項２４】
該保持機能部は該トップパネルに折り曲げ可能に接続されている保持パネルを含み、該容器の少なくともトップ部分を挿入することは、該容器の該トップを、該開口部から離間している該保持パネルと接触させて配置することを含む、請求項２３に記載の方法。
【請求項２５】
該開口部は第１の開口部であり、該少なくとも１つの保持機能部は第１の保持機能部であり、該容器は第１の容器であり、該ブランクは、第２の開口部と、該第２の開口部に隣接している第２の保持機能部とを含み、該方法は、第２の容器の少なくとも一部を該第２の開口部に挿入して該第２の容器のトップ部分を該第２の保持機能部と係合させることであって、該第２の容器を該パッケージに少なくとも部分的に取り付ける、挿入して係合させることを更に含む、請求項２３に記載の方法。